(57)【要約】【課題】背凭れ部にあるシートベルトが通る開口を有する開口部材が着座者に衝突することを抑制できる車両用シートを実現する。【解決手段】車両用シート１は、座部１０、背凭れ部１１及びシートベルト１３を有する。車両用シート１は、背凭れ部１１の肩部上面に設けられ、背凭れ部１１の前面から後方側に向かって延びる溝部２０と、背凭れ部１１における溝部２０の後方側に設けられ、シートベルト１３を背凭れ部１１の内部から溝部２０側に通す開口３１を有する開口部材３０と、を備えている。開口部材３０は、背凭れ部１１内に埋め込まれている。背凭れ部１１の表面は、カバー４０により覆われており、カバー４０の内側には、クッションパッド４１と、背凭れ部１１の側壁の形状を保持する形状保持部材５０とが設けられている。形状保持部材５０は、背凭れ部１１の前面側に衝撃吸収部を有する。【選択図】図１
2019006259.tif 000002
【特許請求の範囲】
【請求項１】
座部、背凭れ部及びシートベルトを有する車両用シートであって、
前記背凭れ部の肩部上面に設けられ、前記背凭れ部の前面から後方側に向かって延びる溝部と、
前記背凭れ部における前記溝部の後方側に設けられ、前記シートベルトを前記背凭れ部の内部から前記溝部側に通す開口を有する開口部材と、を備え、
前記開口部材は、前記背凭れ部内に埋め込まれており、
前記背凭れ部の表面は、カバーにより覆われており、
前記背凭れ部のカバーの内側には、クッションパッドと、前記背凭れ部の側面側の前記溝部の側壁を形成し、当該側壁の形状を保持する形状保持部材とが設けられ、
前記形状保持部材は、前記背凭れ部の前面側に衝撃吸収部を有する、車両用シート。
【請求項２】
前記形状保持部材は、前記背凭れ部の前面側の先端部と、前記先端部の後方側の基部とを有し、
前記先端部は、前記衝撃吸収部である、請求項１に記載の車両用シート。
【請求項３】
前記先端部は、前記基部よりも軟らかく前記クッションパッドよりも硬い、請求項２に記載の車両用シート。
【請求項４】
前記先端部と前記基部は、互いに嵌り合うように構成されている、請求項２又は３に記載の車両用シート。
【請求項５】
前記先端部と前記基部は、互いに嵌り合うことにより前記背凭れ部の前後方向と左右方向の動きが規制されるように構成されている、請求項４に記載の車両用シート。
【請求項６】
前記基部は、前記開口部材の後方側の後壁を形成している、請求項２〜５のいずれかに記載の車両用シート。
【発明の詳細な説明】
【技術分野】
【０００１】
本発明は、座部、背凭れ部及びシートベルトを有する車両用シートに関する。
【背景技術】
【０００２】
車両用シートには、背凭れ部や座部にシートベルトのリトラクタが内蔵され、シートベルトが背凭れ部の上部から外部に延出しているものがある。
【０００３】
この種の車両用シートは、背凭れ部の肩部上に、シートベルトが通る開口を有するカバー部材を備えている（特許文献１〜３参照）。
【先行技術文献】
【特許文献】
【０００４】
【特許文献１】特開２００８−５６２２９号公報
【特許文献２】特開２００６−２７４１６号公報
【特許文献３】特開２００９−２６２７２４号公報
【発明の概要】
【発明が解決しようとする課題】
【０００５】
しかしながら、上述のようなカバー部材は、背凭れ部の上方に突出し、通常硬い樹脂で成形されているため、例えばリクライニング機構により背凭れ部を立ち上げた際に着座者に衝突する可能性があり、好ましくない。
【０００６】
本出願はかかる点に鑑みてなされたものであり、背凭れ部にあるシートベルトが通る開口を有する開口部材が着座者に衝突することを抑制できる車両用シートを提供することをその目的の一つとする。
【課題を解決するための手段】
【０００７】
本発明の一態様に係る車両用シートは、座部、背凭れ部及びシートベルトを有する車両用シートであって、前記背凭れ部の肩部上面に設けられ、前記背凭れ部の前面から後方側に向かって延びる溝部と、前記背凭れ部における前記溝部の後方側に設けられ、前記シートベルトを前記背凭れ部の内部から前記溝部側に通す開口を有する開口部材と、を備え、前記開口部材は、前記背凭れ部内に埋め込まれており、前記背凭れ部の表面は、カバーにより覆われており、前記背凭れ部のカバーの内側には、クッションパッドと、前記背凭れ部の側面側の前記溝部の側壁を形成し、当該側壁の形状を保持する形状保持部材とが設けられ、前記形状保持部材は、前記背凭れ部の前面側に衝撃吸収部を有する。
【０００８】
この態様によれば、背凭れ部の肩部上面に溝部が設けられ、その溝部の後方側に開口部材が設けられ、前記開口部材は、前記背凭れ部内に埋め込まれているので、背凭れ部の開口部材が着座者に衝突することを抑制できる。また、背凭れ部のカバーの内側には、前記背凭れ部の側面側の前記溝部の側壁を形成し、当該側壁の形状を保持する形状保持部材が設けられているので、例えばユーザーにより背凭れ部の肩部に荷重が付与されたときにも、背凭れ部の側壁の外形を保持することができる。さらに、形状保持部材は、背凭れ部の前面側に衝撃吸収部を有するので、着座者に対する背凭れ部の側壁の危害性をなくすことができる。
【０００９】
前記形状保持部材は、前記背凭れ部の前面側の先端部と、前記先端部の後方側の基部とを有し、前記先端部は、前記衝撃吸収部であってもよい。また、前記先端部は、前記基部よりも軟らかく前記クッションパッドよりも硬くてもよい。かかる場合、着座者に対する形状保持部材の危害性を適切になくしつつ、ユーザーにより背凭れ部の肩部に荷重が付与されたときにも背凭れ部の側壁の外形を好適に保持することができる。
【００１０】
前記先端部と前記基部は、互いに嵌り合うように構成されていてもよい。
【００１１】
前記先端部と前記基部は、互いに嵌り合うことにより前記背凭れ部の前後方向と左右方向の動きが規制されるように構成されていてもよい。
【００１２】
前記基部は、前記開口部材の後方側の後壁を形成していてもよい。
【発明の効果】
【００１３】
本発明によれば、背凭れ部にあるシートベルトが通る開口を有する開口部材が着座者に衝突することを抑制できる車両用シートを提供することができる。
【図面の簡単な説明】
【００１４】
【図１】車両用シートの構成の一例を示す斜視図である。
【図２】背凭れ部の肩部を拡大した拡大図である。
【図３】カバーを外した背凭れ部の構成の一例を示す説明図である。
【図４】背凭れ部を側方から見た背凭れ部の断面図である。
【図５】背凭れ部を前方から見た背凭れ部の断面図である。
【図６】背凭れフレームの構成を示す説明図である。
【発明を実施するための形態】
【００１５】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１６】
図１は車両用シート１の構成の一例を示す。例えば車両用シート１は、着座者が座る座部１０と、着座者が背中を凭れかける背凭れ部１１と、ヘッドレスト１２と、シートベルト１３等を有している。
【００１７】
背凭れ部１１は、ヘッドレスト１２の左右のいずれかの上面１１ａ（背凭れ部１１の肩部上面）に溝部２０を有している。図２に示すように溝部２０は、背凭れ部１１の前表面から後方に向けて形成されている。溝部２０は、略半円筒状に形成されている。背凭れ部１１の溝部２０のある部分以外の上面１１ａは、およそ平坦になっている。溝部２０の後方側には、開口部材３０が設けられている。すなわち、開口部材３０は、背凭れ部１１の背凭れ前表面よりも後方に後退した位置に設けられている。開口部材３０は、前面に開口３１を有し、シートベルト１３は背凭れ部１１の内部から開口３１を通じて前方に延出している。開口部材３０は、背凭れ部１１の上面において背凭れ部１１内に埋設されている。例えば開口部材３０は、背凭れ部１１の直方体状の外形内に収められ、開口部材３０の上面は、背凭れ部１１の上面１１ａとほぼ同一平面上に位置している。なお、本明細書において、「埋設」とは、開口部材３０の上面が、背凭れ部１１の他の部分の上面１１ａ（カバー４０のある状態）とほぼ同一平面上に位置しているか、背凭れ部１１の他の部分の上面１１ａより低い位置に位置していることをいう。
【００１８】
背凭れ部１１の表面は、カバー（トリムカバー）４０により覆われている。カバー４０は、例えば伸縮性、弾性のある素材、例えば化学繊維や合皮、本皮により形成されている。図３に示すように背凭れ部１１のカバー４０の内側には、クッションパッド４１が設けられている。クッションパッド４１は、例えばウレタンなどの素材により形成されている。背凭れ部１１の溝部２０と開口部材３０がある肩部では、クッションパッド４１が切り欠かれている。その背凭れ部１１の肩部には、背凭れ部１１の側壁の形状を保持する形状保持部材（壁部材）５０が設けられている。形状保持部材５０は、クッションパッド４１よりも外力に対して変形しにくい硬い材質（剛性の高い材質）、例えばポリプロピレン（ＰＰ）やポリアセタール（ＰＯＭ）などの樹脂により成形されている。
【００１９】
形状保持部材５０は、溝部２０及び開口部材３０のある部分の背凭れ部１１の側面１１ｂと後面１１ｃを覆うように形成されている。形状保持部材５０は、基部６０と、衝撃吸収部としての先端部６１を有している。先端部６１は、溝部２０の側面に位置し、背凭れ部１１の側壁の骨格の一部を形成している。基部６０は、先端部６１よりも後方側に位置し、背凭れ部１１の側壁の一部と後壁の骨格の一部を形成している。先端部６１は、基部６０よりも変形しやすい軟らかい材質（剛性の低い材質）により形成されている。よって、先端部６１は、形状保持部材５０としての機能を保持しつつ、衝撃吸収部としても機能する。例えば先端部６１には、発泡ＰＰ（ポリプロピレン）などの発泡樹脂が用いられ、基部６０には、ＰＰ（ポリプロピレン）などの樹脂が用いられる。なお、クッションパッド４１、先端部６１及び基部６０は、この順で硬さ（剛性）が大きくなる。
【００２０】
先端部６１と基部６０は、互いに嵌り合うように固定されている。例えば図４に示すように先端部６１は、背凭れ部１１の前後方向に沿って連続する凹凸状の下面６１ａを有している。基部６０は、先端部６１の凹凸状の下面６１ａに対応し、背凭れ部１１の前後方向に沿って連続する凹凸状の上面６０ａを有している。先端部６１を基部６０に嵌め込むことにより基部６０と先端部６１の前後方向の動きが規制される。
【００２１】
また、図５に示すように先端部６１の下面６１ａには、背凭れ部１１の左右方向に沿った凹部７０が形成されている。基部６０の上面６０ａには、先端部６１の下面６１ａの凹部７０に対応し、背凭れ部１１の左右方向に沿った凸部７１が形成されている。先端部６１を基部６０に嵌め込むことにより基部６０と先端部６１の左右方向の動きが規制される。
【００２２】
図６に示すように背凭れ部１１は、背凭れ部１１の全体の骨格を構成する背凭れフレーム８０を有し、形状保持部材５０は、背凭れフレーム８０に取り付けられている。背凭れ部１１は、リクライニング機構を有し、後方に倒したり前方に立ち上げたりすることができる。
【００２３】
図１に示すシートベルト１３は、背凭れ部１１内の下部に設けられたリトラクタ（図示せず）から上方に向けて延び、背凭れ部１１内の上部で前方に曲がり、開口部材３０の開口３１から外部に延出している。開口３１から延出したシートベルト１３は、座部１０の横に配置されたプリテンショナー９０に嵌め込まれて固定されている。またシートベルト１３には、タングプレート９１が取り付けられており、タングプレート９１を座部１０のバックル９２に係止することにより着座者はシートベルト１３を締めることができる。
【００２４】
本実施の形態によれば、車両用シート１が、背凭れ部１１の肩部上面１１ａに溝部２０を有し、その溝部２０の後方側に、シートベルト１３が通る開口部材３０を設けているので、背凭れ部１１を立ち上げた際に開口部材３０が着座者に衝突することを抑制できる。
【００２５】
開口部材３０が背凭れ部１１内に埋め込まれているので、背凭れ部１１を立ち上げた際に開口部材３０が着座者に衝突することをより十分に抑制できる。
【００２６】
背凭れ部１１のカバー４０の内側に、背凭れ部１１の側面側の溝部２０の側壁を形成し、当該側壁の形状を保持する形状保持部材５０が設けられている。これにより、溝部３０の側壁（背凭れ部１１の肩部）が肉薄となった場合でも、側壁の外形を保持することができる。この結果、例えばユーザーが溝部３０の側壁がある背凭れ部１１の肩部に手をかけ押したときに、背凭れ部１１の肩部が凹んで形が崩れることを抑制できる。また、形状保持部材５０は、背凭れ部１１の前面側に衝撃吸収部としての先端部６１を有しているので、着座者に対する背凭れ部１１の側壁の危害性をなくすことができる。
【００２７】
形状保持部材５０は、基部６０と先端部６１を有し、先端部６１が衝撃吸収部であり、先端部６１が、基部６０よりも軟らかくクッションパッド４１よりも硬いので、背凭れ部１１を立ち上げた際に形状保持部材５０がユーザーに当たっても危害性がない。また、ユーザーにより背凭れ部１１の肩部に荷重が付与されたときにも背凭れ部１１の側壁の外形を好適に保持することができる。
【００２８】
先端部６１と基部６０が互いに嵌り合うように構成されているので、形状保持部材５０の組み付け作業を容易に行うことができる。
【００２９】
先端部６１と基部６０は、互いに嵌り合うことにより背凭れ部１１の前後方向と左右方向の動きが規制されるように構成されている。これにより、先端部６１と基部６０の位置ずれを防止できる。
【００３０】
基部６０は、開口部材３０の後方側の後壁を形成しているので、開口部材３０の後方の背凭れ部１１の外形を保持することができる。
【００３１】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３２】
例えば上記実施の形態で記載した開口部材３０の構造、形状保持部材５０の構造はこれに限られない。開口部材３０は、背凭れ部１１の上面において背凭れ部１１内に埋設されていなくてもよく、背凭れ部１１の上面から突出している場合も本発明は適用できる。座部１０、背凭れ部１１及びシートベルト１３の構成や、車両用シート１の全体構成も上記実施の形態のものに限られない。
【産業上の利用可能性】
【００３３】
本発明は、背凭れ部にあるシートベルトが通る開口を有する開口部材が着座者に衝突することを抑制できる車両用シートを実現する際に有用である。
【符号の説明】
【００３４】
１  車両用シート
１０  座部
１１  背凭れ部
１３  シートベルト
２０  溝部
３０  開口部材
３１  開口
４０  カバー
５０  形状保持部材
６０  基部
６１  先端部
【図１】
2019006259.tif 000003
【図２】
2019006259.tif 000004
【図３】
2019006259.tif 000005
【図４】
2019006259.tif 000006
【図５】
2019006259.tif 000007
【図６】
2019006259.tif 000008